(57)【要約】【課題】複数の照明モジュールを並列配置したときに、光出射面全体の輝度をより一層均斉化できる照明モジュールを提供する。【解決手段】照明モジュール１０は、外装ケース１００、導光板２００、光源３００及び拡散板４００を備え、拡散板４００には、導光板３００側に突出し導光板３００の第１光出射面ＦＥ１の周縁部２２０から出射する光が入射する第２光入射面ＦＩ２を有する凸条部４１０が設けられた照明モジュール１０であって、拡散板側部４６０において、照明モジュール１０の前側から後側に進むにつれて拡散板４００の中央部４３０側に向けて傾斜するテーパー部４４０を有し、且つ、平面視したとき拡散板４００の端部４２０は外装ケース１００の側部外面１２２よりも外側に突出しており、更にテーパー部４４０には、光の吸収、反射及び散乱のうち少なくともいずれかを行うことができる調光手段５００が設けられている。【選択図】図４
2018032526.tif 000002
【特許請求の範囲】
【請求項１】
底部及び前記底部を囲むようにして設けられた側部を有する外装ケースと、
前記外装ケースの内部に収められ、端面及び第１光出射面を有する導光板と、
前記端面に臨むようにして配置され、前記端面に向かって光を出射する光源と、
前記導光板の前記第１光出射面の側に配置され、前記第１光出射面から出射した光が入射する第１光入射面及び該第１光入射面から入射した光が出射する第２光出射面を有する拡散板と、を備え、
前記拡散板には、前記導光板側に突出し、前記導光板の前記第１光出射面の周縁部のうち少なくとも前記光源を臨む前記端面側の周縁部に対向する位置に位置し、前記第１光出射面の前記周縁部から出射する光が入射する第２光入射面を有する凸条部が設けられた照明モジュールであって、
前記拡散板の最も外側の外周部は、前記外装ケースの側部外面よりも外側に突出しており、
前記拡散板の前記第２光出射面に対し垂直な方向であって前記外装ケースの前記底部側から前記第２光出射面側に向かう方向を第１方向とし、前記第１方向とは逆の方向を第２方向としたとき、
前記拡散板は、第２方向に進むにつれて、前記拡散板の中央部側に向けて傾斜するテーパー部を、拡散板側部において有し、
更に前記テーパー部には、光の吸収、反射及び散乱のうち少なくともいずれかを行うことができる調光手段が設けられていることを特徴とする照明モジュール。
【請求項２】
請求項１に記載の照明モジュールにおいて、
前記調光手段は、光の吸収、反射及び散乱のうち少なくともいずれかを行うことができる調光層を有するテープであり、
前記テープが前記テーパー部に接着されてなることを特徴とする照明モジュール。
【請求項３】
請求項１に記載の照明モジュールにおいて、
前記調光手段は、光の吸収、反射及び散乱のうち少なくともいずれかを行うことができる塗装材料であり、
前記塗装材料が前記テーパー部に塗装されてなることを特徴とする照明モジュール。
【請求項４】
請求項１に記載の照明モジュールにおいて、
前記調光手段は、前記テーパー部の表面が粗された部位によって構成されたことを特徴とする照明モジュール。
【請求項５】
請求項１〜４のいずれかに記載の照明モジュールにおいて、
前記調光手段の拡散板内部側における反射率は、前記調光手段の外部側における反射率よりも高いことを特徴とする照明モジュール。
【請求項６】
請求項１〜５のいずれかに記載の照明モジュールを複数備え、
各前記照明モジュールは、互いに隣接する前記照明モジュール同士の前記拡散板側部の少なくとも一部を当接させて配置され、当接される前記拡散板側部の少なくとも一方の前記テーパー部には、光の吸収、反射及び散乱のうち少なくともいずれかを行うことができる前記調光手段が設けられていることを特徴とする照明装置。
【請求項７】
請求項６に記載の照明装置において、
隣接する２つの前記照明モジュールのうち、いずれか一方の前記照明モジュールの当接する拡散板側部においてのみ、前記テーパー部に前記調光手段が設けられていることを特徴とする照明装置。
【請求項８】
請求項６に記載の照明装置において、
隣接する２つの前記照明モジュールの互いに当接するそれぞれの前記拡散板側部において、それぞれの前記テーパー部に前記調光手段が設けられていることを特徴とする照明装置。
【発明の詳細な説明】
【技術分野】
【０００１】
本発明は、照明モジュール及び照明装置に関する。
【背景技術】
【０００２】
従来、光出射面を前面側から平面視したとき、拡散板の光出射面の周縁部が縁取りされたように暗くなることのない照明モジュールが知られている（例えば、特許文献１参照。）。
【０００３】
図１２は、従来の照明モジュール９００を説明するために示す断面図である。
従来の照明モジュール９００は、図１２に示すように、底部９１１及び底部９１１を囲むようにして設けられた側部９１２を有する外装ケース９１０と、外装ケース９１０の内側領域に収められ、端面９２１及び第１光出射面ＦＥ１を有する導光板９２０と、端面９２１に臨むようにして配置され、端面９２１に向かって光を出射する光源９３０と、導光板９２０の第１光出射面ＦＥ１の側に配置され、第１光出射面ＦＥ１から出射した光が入射する第１光入射面ＦＩ１及び該第１光入射面ＦＩ１から入射した光が出射する第２光出射面ＦＥ２を有する拡散板９４０と、を備え、拡散板９４０には、導光板９２０側に突出し、導光板９２０の第１光出射面ＦＥ１の周縁部９２２のうち少なくとも光源９３０を臨む端面９２１側の周縁部９２２に対向する位置に位置し、第１光出射面ＦＥ１の周縁部９２２から出射する光が入射する第２光入射面ＦＩ２を有する凸条部９４１が設けられた構成となっている。
【０００４】
従来の照明モジュール９００によれば、凸条部９４１の第２光入射面ＦＩ２に入射した光が、凸条部９４１の内部で反射、散乱等し、拡散板９４０の周縁部から散乱光として出射することとなる。こうして凸条部９４１を設けることにより、第２光出射面ＦＥ２の周縁部が縁取りされたように暗くなることを防止し、周縁部を含めた第２光出射面ＦＥ２（光出射面）の全体の明るさ（輝度）を均斉化することができる（特許文献１の［００４６］〜［００４７］等参照。）。
【０００５】
また、上記のように従来技術において照明モジュール単体で光出射面全体の輝度を均斉化することができるようになったため、従来の照明モジュール９００を複数個、並列に配置して（並列配置）、より広い面積の光出射面をもつ照明装置を構成することも可能となる。
【先行技術文献】
【特許文献】
【０００６】
【特許文献１】特開２０１４−１５００４９号公報
【０００７】
図１３は、従来の照明モジュール９００を複数個、並列配置して従来の照明装置９５０を構成したときに生じうる輝線の問題を説明するために示す断面図である。なお、図１３においては要部のみ（拡散板９４０及び外装ケース９１０の一部）を図示し他の構成要素の図示を省略する。
【発明の概要】
【発明が解決しようとする課題】
【０００８】
図１２においては、外装ケース９１０の側部外面９１４と拡散板９４０の最も外側の外周部９４２とはいわゆる面一の状態となっている。
しかし、図１３に示すように、従来の照明モジュール９００を実際に量産すると、製造上のばらつきにより、外装ケース９１０の側部外面９１４が拡散板９４０の外周部９４２よりも外側に突出することがある。このような照明モジュール９００’を複数用いて並列配置した場合には、隣接する照明モジュール９００’の拡散板９４０の外周部９４２が互いに密着せず、隣接する拡散板９４０の間に隙間が生じることがある。この場合、照明装置９５０の前面から光出射面を見たときに、上記した隙間から漏れる照明光ＬＡが輝線となって現れるという問題（隙間から漏れる輝線の問題）が生ずる。
【０００９】
本発明は上記事情に鑑みてなされたものであり、複数の照明モジュールを並列配置したときに、拡散板の周縁部を含めて光出射面全体の輝度をより一層均斉化できる照明モジュールを提供することを目的とする。
【課題を解決するための手段】
【００１０】
［１］本発明の照明モジュールは、底部及び前記底部を囲むようにして設けられた側部を有する外装ケースと、前記外装ケースの内部に収められ、端面及び第１光出射面を有する導光板と、前記端面に臨むようにして配置され、前記端面に向かって光を出射する光源と、前記導光板の前記第１光出射面の側に配置され、前記第１光出射面から出射した光が入射する第１光入射面及び該第１光入射面から入射した光が出射する第２光出射面を有する拡散板と、を備え、前記拡散板には、前記導光板側に突出し、前記導光板の前記第１光出射面の周縁部のうち少なくとも前記光源を臨む前記端面側の周縁部に対向する位置に位置し、前記第１光出射面の前記周縁部から出射する光が入射する第２光入射面を有する凸条部が設けられた照明モジュールであって、前記拡散板の最も外側の外周部は、前記外装ケースの側部外面よりも外側に突出しており、前記拡散板の前記第２光出射面に対し垂直な方向であって前記外装ケースの前記底部側から前記第２光出射面側に向かう方向を第１方向とし、前記第１方向とは逆の方向を第２方向としたとき、前記拡散板は、第２方向に進むにつれて、前記拡散板の中央部側に向けて傾斜するテーパー部を、拡散板側部において有し、更に前記テーパー部には、光の吸収、反射及び散乱のうち少なくともいずれかを行うことができる調光手段が設けられていることを特徴とする。
【００１１】
本発明の照明モジュールにおいて、拡散板の最も外側の外周部は、前記外装ケースの側部外面よりも外側に突出しており、拡散板は、第２方向に進むにつれて、拡散板の中央部側に向けて傾斜するテーパー部を拡散板側部において有している。そのため、複数の照明モジュールを並列配置したときに、仮に外装ケースと拡散板との位置関係が製造上多少ばらついたとしても、隣接する拡散板の間に隙間を生じることがなく、上記「隙間から漏れる輝線の問題」を解決することができ、ひいては光出射面全体の輝度を均斉化に寄与することができる。
【００１２】
また、本発明の照明モジュールによれば、拡散板の側部のテーパー部に調光手段が設けられているため、光が凸条部の内側からテーパー部を通じて調光手段に入射すると、調光手段において光が吸収、反射及び散乱のうち少なくともいずれかを行う。調光手段において行われる光の吸収等により、調光手段から外側に出射する光の量を調節することができる。また、逆方向からの光すなわち当該照明モジュールのテーパー部の外部側から入射する光の量も、同様に調節することができる。
よって複数の照明モジュールを並列配置したときにも、隣接する照明モジュールの拡散板の間で相互に行き交う光の量を調節することができる。
このようにして、テーパー部に設けられた調光手段により、隣接する照明モジュールから入射する光の影響を緩和することができるため、隣接する部分（拡散板の周縁部等）の輝度が高くなる等に起因した輝度斑を抑制することができ、ひいては光出射面全体の輝度を均斉化に寄与することができる。
【００１３】
しかるに、本発明の照明モジュールによれば、複数の照明モジュールを並列配置したときに、拡散板の周縁部を含めて光出射面全体の輝度をより一層均斉化できる照明モジュールを提供することができる。
【００１４】
［２］本発明の照明モジュールにおいて、前記調光手段は、光の吸収、反射及び散乱のうち少なくともいずれかを行うことができる調光層を有するテープであり、前記テープが前記テーパー部に接着されてなることが好ましい。
【００１５】
このようなテープによる調光手段によれば、テープの幅、長さ、設置箇所等を適宜変更することや、調光層の材質を適宜変更することによって、光の吸収、反射及び散乱の度合いを容易に調節することができる。
【００１６】
［３］本発明の照明モジュールにおいて、前記調光手段は、光の吸収、反射及び散乱のうち少なくともいずれかを行うことができる塗装材料であり、前記塗装材料が前記テーパー部に塗装されてなることが好ましい。
【００１７】
このような構成によれば、塗装材料がテーパー部に塗装されてなるため、テーパー部への定着性がより優れた調光手段を形成することができ、より耐久性の優れた照明モジュールを得ることができる。
【００１８】
［４］本発明の照明モジュールにおいて、前記調光手段は、前記テーパー部の表面が粗された部位によって構成されたことが好ましい。
【００１９】
テーパー部自体を加工して、テーパー部の表面が粗された部位によって調光手段を構成するため、より耐久性が優れた照明モジュールとなる。加えて、追加の部材を必要しないことから部材コストを抑えた照明モジュールを得ることができる。
【００２０】
［５］本発明の照明モジュールにおいて、前記調光手段の拡散板内部側における反射率は、前記調光手段の外部側における反射率よりも高いことが好ましい。
【００２１】
このような構成によれば、拡散板内部側からテーパー部を通じて出射しようとする光を、再び拡散板内部側に反射して戻すことができる。したがって、拡散板の周縁部の輝度が中央部側の輝度よりも低いと認識される場合であっても、凸条部を中心とした拡散板の周縁部の輝度の低下を防ぐことができる。
【００２２】
［６］本発明の照明装置は、上記［１］〜［５］ののいずれかに記載の照明モジュールを複数備え、各前記照明モジュールは、互いに隣接する前記照明モジュール同士の前記拡散板側部の少なくとも一部を当接させて配置され、当接される前記拡散板側部の少なくとも一方の前記テーパー部には、光の吸収、反射及び散乱のうち少なくともいずれかを行うことができる前記調光手段が設けられていることを特徴とする。
【００２３】
本発明の照明装置は、拡散板の最も外側の外周部が外装ケースの側部外面よりも外側に突出するよう構成された照明モジュールが複数用いられており、且つ、各照明モジュールは、互いに隣接する照明モジュール同士の拡散板側部の少なくとも一部を当接させて配置されている。また、少なくとも一方のテーパー部には、光の吸収、反射及び散乱のうち少なくともいずれかを行うことができる調光手段が設けられている。
このため、より広い面積の光出射面をもちながらも、隣接する照明モジュールの拡散板の間で隙間を生ずることなく、且つ、隣接する拡散板の周縁部を含め複数照明モジュールからなる光出射面全体の輝度がより一層均斉化された照明装置を得ることができる。
【００２４】
［７］本発明の照明装置においては、隣接する２つの前記照明モジュールのうち、いずれか一方の前記照明モジュールの当接する拡散板側部においてのみ、前記テーパー部に前記調光手段が設けられていることが好ましい。
【００２５】
調光手段をいずれか一方の照明モジュールの当接する拡散板側部においてのみ設けることから、より製造コストを抑えた照明装置を得ることができる。
【００２６】
［８］本発明の照明装置においては、隣接する２つの前記照明モジュールの互いに当接するそれぞれの前記拡散板側部において、それぞれの前記テーパー部に前記調光手段が設けられていることが好ましい。
【００２７】
調光手段を、隣接する２つの照明モジュールの互いに当接するそれぞれの拡散板側部において設けることから、調光手段を、いずれか一方の照明モジュールの当接する拡散板側部においてのみ設ける場合に比べて、拡散板の側部（テーパー部を含む）から出射及び入射する光の量の調節を、より強調して働かせることができる。
例えば、拡散板の周縁部の輝度が中央部側（主出射面）の輝度よりも高すぎるものと認識される場合には、隣接する２つの照明モジュールの互いに当接するそれぞれの拡散板側部において調光手段を設けることにより、拡散板の周縁部の輝度を強く抑えることができ、照明装置の光出射面全体の輝度を均斉化することができる。
【図面の簡単な説明】
【００２８】
【図１】実施形態１に係る照明モジュール１０を説明するために示す図である。
【図２】実施形態１に係る照明モジュール１０を説明するために示す図である。
【図３】実施形態１における調光手段５００の各種態様について説明するために示す図である。
【図４】実施形態１に係る照明モジュール１０及び照明装置５０を説明するために示す図である。
【図５】実施形態１における導光板２００及び拡散板４００内における光の進行ルート（光路）の例、並びに、調光手段５００による作用・効果を説明するために示す図である。
【図６】実施形態２に係る照明装置５０ａを説明するために示す図である。
【図７】実施形態３に係る照明装置５０ｂを説明するために示す図である。
【図８】変形例１における調光手段５００ｄを説明するために示す図である。
【図９】変形例２における調光手段５００ｅを説明するために示す図である。
【図１０】変形例３に係る照明モジュール１０ｕ及び照明装置５０ｕを説明するために示す図である。
【図１１】変形例４に係る照明モジュール１０ｖ及び照明装置５０ｖを説明するために示す図である。
【図１２】従来の照明モジュール９００を説明するために示す図である。
【図１３】従来の照明モジュール９００を複数個、並列配置して照明装置９５０を構成したときに生じうる輝線の問題を説明するために示す図である。
【発明を実施するための形態】
【００２９】
以下、本発明の照明モジュール及び照明装置を、図に示す実施形態に基づいて詳細に説明する。各図は模式図であり、各構成要素の寸法、角度等の表示は必ずしも実際のものを厳密に反映したものではない。さらに、先行技術と共通する構成要素については、特許文献１に記載された手段と同様の手段を採用することができる。かかる構成要素の構成、機能等の詳しい説明は特許文献１の記載を援用することができる。
【００３０】
［実施形態１］
１．実施形態１に係る照明モジュール１０の基本構成
図１及び図２は、実施形態１に係る照明モジュール１０を説明するために示す図である。以下の説明において、照明モジュール１０の照明方向であると共に、第２光出射面ＦＥ２に対し垂直な方向を、第１方向あるいは前方（前側）とし、また、それと反対の方向を第２方向あるいは後方（後側）として説明を行う。図１は、照明モジュール１０を前方から見た正面図である。図２（ａ）は、照明モジュール１０における要部を拡大して示す断面図であり、図１に示す切断線ＩＩ−ＩＩ線における断面を示している。図２（ｂ）は調光手段５００（テープによる調光手段）を幅広面の側から見た図である。図２（ｃ）は調光手段５００及び接着層６７０の断面を示す断面図である。
【００３１】
実施形態１に係る照明モジュール１０は、図１に示すように《図２（ａ）も併せて参照。》、前方から見た形状が４つの辺を有する四角形をなし、前後方向に薄い扁平した平板状である。第２光出射面ＦＥ２（後述する。）からは、輝度の均一化が図られた照明光が出射される。第２光出射面ＦＥ２は、周縁部４２５と周縁部４２５以外の中央部４３０側とに大別される。拡散板４００の周縁部４２５の後面側には、図１において点線で示すように、後述する凸条部４１０、テーパー部４４０、光源３００（図１ではその一部を表示）等が設けられている。
【００３２】
実施形態１に係る照明モジュール１０は、図２（ａ）に示すように、少なくとも外装ケース１００、導光板２００、光源３００、拡散板４００及び調光手段５００を備える。
なお、拡散板４００の第２光出射面ＦＥ２の表面には、印刷パターン６００を施してもよい（他の実施形態及び他の図においても同様。）。
【００３３】
外装ケース１００は、照明モジュール１０の、主に後面側をケーシングするものであって、底部１１０と、底部１１０の周囲から立ち上がって底部１１０を囲むようにして設けられた側部１２０とを有する。実施形態１においては、４つの辺の総てに側部１２０が設けられている。外装ケース１００は、本発明の作用・効果が阻害されない範囲であれば如何なる材質及び形成方法であってもよいが、実施形態１においては薄い金属板を曲げ加工して形成する。
【００３４】
導光板２００は、端面２１０から入射した光を平面的な広がりをもって導くものであって、平板状をなし該端面２１０及び第１光出射面ＦＥ１を有する。導光板２００は、例えば光透過率の比較的高いアクリル系樹脂からなり、必要に応じて光散乱粒子をその中に含む。端面２１０は、導光板２００を前方から見たとき、導光板２００の外周の辺を形成するように直線状に構成してもよい。また、照明モジュール１０の辺の一部を部分的に中央部４３０寄りに凹状に窪ませて（図示を省略。）、当該凹状の窪みに光源３００を配置しつつ、当該凹状の窪みに臨む面を端面２１０として構成してもよい。導光板２００は、外装ケース１００の底部１１０及び側部１２０に囲まれた空間である「外装ケース１００の内部」に収められる。
【００３５】
光源３００は、照明用の光を発するものであって、上記した導光板２００の端面２１０に臨むようにして配置され、該端面２１０に向かって光を出射する。
実施形態１において、光源３００としてＬＥＤを採用する。ＬＥＤ（光源３００）は、複数個ずつフレキシブル基板３５０に実装されている。フレキシブル基板３５０は、光源フレーム３７０の内面に収められて配置されている。光源フレーム３７０は、曲げ加工等により固定部３７２、側部３７３及び遮蔽部３７４が形成される。光源フレーム３７０は、外装ケース１００の側部１２０の内面に沿って配置されている。
【００３６】
反射シート２５０は、導光板２００に導かれた光のうち後面側に漏えいした光を、前側（光出射面側）に対して反射させるものであって、例えばアルミニウム箔のような反射率の比較的高い材料で形成され、導光板２００の後面側の表面全体に密着するように配置されている。反射シート２５０に代えて導光板２００の後面側に反射コートを形成してもよい。
【００３７】
拡散板４００は、導光板２００の第１光出射面ＦＥ１の側（前側）に配置され、第１光出射面ＦＥ１から出射した光が入射する第１光入射面ＦＩ１及び該第１光入射面ＦＩ１から入射した光が出射する第２光出射面ＦＥ２を有する。拡散板４００は、光の輝度分布の均斉を図るものであれば如何なるものであってもよいが、実施形態１においては、光散乱粒子（図示を省略。）が多数含有される光散乱導光体が用いられている。
【００３８】
また、拡散板４００には、凸条部４１０が設けられている。凸条部４１０は、拡散板４００の周縁部４２５に設けられており、具体的には、導光板２００の第１光出射面ＦＥ１の周縁部２２０のうち少なくとも光源３００を臨む端面２１０側の周縁部２２０に対向する位置に位置している。凸条部４１０の厚さは、拡散板４００の中央部４３０付近の厚さに比べ、厚くなっており、導光板２００側（後面側）に突出している。凸条部４１０は第２光入射面ＦＩ２を有し、該第２光入射面ＦＩ２には、導光板２００の第１光出射面ＦＥ１の周縁部２２０から出射する光が入射する。
【００３９】
なお、実施形態１に係る照明モジュール１０においては、第２光入射面ＦＩ２に対向する位置に遮蔽部３７４が設けられている。遮蔽部３７４の存在によって、光源３００から発せられた光が直接的に第２光入射面ＦＩ２に入射することがない（そのような遮蔽領域Ｂが設定される）。したがって、導光板２００からは、遮蔽領域Ｂ以外の入射領域Ｃを通じて第２光入射面ＦＩ２に光が入射することとなる。なお、遮蔽部３７４は如何なる手段によって構成してもよいが、実施形態１においては、光源フレーム３７０を曲げ加工して前側を内側に突出させることによって構成している。また、遮蔽領域Ｂと入射領域Ｃとの比率は、光源３００が発する光の輝度、凸条部４１０において狙う輝度等に応じて設定変更することができ、例えば、凸条部４１０において狙う輝度の値を大きくしたい場合には入射領域Ｃに対して遮蔽領域Ｂの割合を小さくするよう設定変更してもよい。
【００４０】
外装ケース１００内には、照明モジュール１０の前側から後側に向かって、導光板２００、反射シート２５０及びメインフレーム６５０がこの順に収容されている。導光板２００、反射シート２５０及びメインフレーム６５０のそれぞれの周縁部が、光源フレーム３７０の固定部３７２と光源フレーム３７０の遮蔽部３７４との間に挟まれるようにして配置されている。
【００４１】
外装ケース１００の底部１１０においては、ねじ１３０（ねじ１３０は図４参照。），１３２が複数個、照明モジュール１０の辺に沿って適当な間隔をおいて嵌め込まれている。ねじ１３２は、やや中央部４３０寄りに配置され、外装ケース１００の底部１１０に開けられたねじ穴（符号を省略。）を貫通して、メインフレーム６５０に螺合されている。ねじ１３０は、周縁部４２５に配置され、外装ケース１００の底部１１０、光源フレーム３７０、メインフレーム６５０、反射シート２５０及び導光板２００にそれぞれ開けられたねじ穴（符号を省略。）を貫通して、拡散板４００の凸条部４１０に螺合され、外装ケース１００、光源フレーム３７０、メインフレーム６５０、反射シート２５０、導光板２００及び拡散板４００を締結する。
【００４２】
２．実施形態１に係る照明モジュール１０の詳細な構成
（１）テーパー部４４０  
実施形態１に係る照明モジュール１０は、上記した基本構成に加え、図２（ａ）に示すように、拡散板４００の側部（拡散板側部４６０）において、テーパー部４４０を有している。テーパー部４４０は、照明モジュール１０の前側（第２光出射面ＦＥ２側）から後側（外装ケース１００側）に進むにつれて、拡散板４００の中央部４３０側に向けて傾斜するように形成されている。
拡散板４００の前後方向において、テーパー形状が始まる位置は、拡散板４００の最も外側の外周部である端部４２０とほぼ同位置か、又は、若干後側にシフトした位置であり、この位置をテーパー部前縁４４２とする。またテーパー形状が終わる位置をテーパー部後縁４４４とする。テーパー部４４０は、テーパー部前縁４４２から始まり、照明モジュール１０の前側から後側に進むにつれて、拡散板４００の中央部４３０側に向けて傾斜するようにテーパー部後縁４４４にかけて形成されている。
テーパー部４４０は、平面状に構成することが好ましい。平面状にすることで、テーパー部４４０に対して、後述する調光手段５００を接着、塗布等しやすくなり、調光手段５００のテーパー部４４０への定着性を高めることができる。逆に、テーパー部４４０を曲面である場合の方が光学特性が向上するときなどにおいては、テーパー部４４０を曲面状に構成してもよい。
【００４３】
（２）拡散板４００の端部４２０
また、照明モジュール１０において、拡散板４００を第２方向に向かって視たときに、拡散板４００の最も外側の外周部である端部４２０が外装ケース１００の側部外面１２２よりも外側に突出している《図２（ａ）参照。》。すなわち、テーパー部４４０の前方に位置している端部４２０は、外装ケース１００の側部外面１２２よりも外側に突出している。
なお、端部４２０は、上述したように拡散板４００の最も外側の外周部である。言い換えれば、拡散板４００の「端部４２０」は、拡散板４００を前方から第２方向に向かって見たとき、拡散板４００の輪郭を形成する外周の端の部分を指すものとする。また、ここで「内側」とは、照明モジュール１０を前方から第２方向に向かって見たとき、照明モジュール１０の端部４２０から第２光出射面ＦＥ２の中央に向かう側であり、「外側」とは、該「内側」とは反対の側を指すものとする。
【００４４】
実施形態１における拡散板４００の側部（拡散板側部４６０）を全体的に観察すると、まず、第２光出射面ＦＥ２から後方に向かって連続するように丸みのついた湾曲面４２７が形成されている。続いて、第２光出射面ＦＥ２に垂直な垂直面４２０Ａが形成されている。続いて、テーパー部４４０が形成されている。テーパー部４４０は、テーパー部前縁４４２から始まり、前側から後側に進むにつれて、拡散板４００の中央部４３０側に向けて傾斜するようにテーパー部後縁４４４にかけて形成されている。そして、テーパー部４４０のテーパー部後縁４４４が、外装ケース１００の側部１２０の前側の縁部に接している《図２（ａ）参照。》。このとき、拡散板４００を前方から見たときに、上記垂直面４２０Ａの位置が、拡散板４００の輪郭を形成する外周の端となる。したがって、この場合には上記垂直面の位置が「拡散板４００の端部４２０」に相当することとなる。
【００４５】
（３）調光手段５００
（ａ）調光手段５００の付設
上記した構成に加え、テーパー部４４０には、光の吸収、反射及び散乱のうち少なくともいずれかを行うことができる調光手段５００が更に設けられている《図２（ａ）参照。》。
【００４６】
この調光手段５００は、光の吸収、反射及び散乱のうち少なくともいずれかを行うことができる調光層５１０を有するテープによって構成され、接着層６７０によりテーパー部４４０に接着されている《図２（ｂ）及び図２（ｃ）参照。》。
このようなテープによる調光手段５００によれば、調光層５１０の材質を適宜変更することで光の吸収、反射及び散乱の度合いを容易に調節することができ、また、テープの幅、長さ、設置箇所等を適宜変更することで拡散板側部４６０から出射する光の量及び入射する光の量を容易に調節することができる。したがって、より柔軟性に富んだ調光が行える照明モジュール１０となる。
【００４７】
実施形態１においては、まず接着層６７０をテーパー部４４０に配設し、次いでテープ（調光層５１０）を接着層６７０に対し付勢して、最終的にテープ（調光層５１０）をテーパー部４４０に接着する。実施形態１において、接着層６７０としてテープ状のものを用いるが、これに限定されるものではなく、例えばゾル状又はゲル状のものを用いてもよい。
なお、実施形態１において、接着層６７０はテープ（調光層５１０）と別個のものであるとの前提の下で説明したが、これに限定されるものではない。テープ（調光層５１０）及び接着層６７０が予め一体的に形成され、テープ（調光層５１０）及び接着層６７０が一体となってテーパー部４４０に付設されるものとしてもよい。
【００４８】
また、実施形態１において、接着層６７０は、光の吸収性あるいは反射性を有しない透明な材質で形成する。しかし、これに限定されることはなく、光の吸収性あるいは反射性を有する材料で形成しても良い。接着層６７０が光の吸収性、反射性あるいは散乱性を有する場合には、調光手段５００の光の吸収、反射及び散乱の度合は、調光層５１０および接着層６７０の光の吸収性、反射性および散乱性を考慮して、それぞれの材質等が選定される。つまり、接着層６７０が調光手段５００の一部として構成される場合もある。
【００４９】
調光手段５００をテープによって構成した場合に、かかるテープは実施形態１の作用・効果を発揮するのであれば如何なる部材、構成等を採用してもよい。例えば、アセテート等の繊維の目が比較的詰まった布地テープであって、黒色をした布地テープを採用してもよい。かかる部材を採用することにより、主に光を吸収し遮光性に富んだ調光手段５００を得ることができる。また布地であることから、被接着面となるテーパー部４４０の形状に順応して馴染みやすく、確実に調光手段５００をテーパー部４４０へ定着させることができる。
また、例えば有機化合物のフィルムを調光層５１０として採用することもできる。
さらに、調光層５１０は、目の詰まった一様な面として形成されたものでもよいし、一様でなく部分的に孔を有する状態に形成されたもの、例えばメッシュ状、スリット状に形成されたものであってもよい。
【００５０】
（ｂ）光の吸収を行う態様
図３は、実施形態１における調光手段５００の各種態様について説明するために示す図である。なお、図において矢印ＱＬ１，ＱＬ２，ＱＬ３，ＱＬ４，ＱＬ５は、凸条部４１０内を進行する光の一部を例示的に説明するためのものである。矢印の方向は光の進行方向を示し、矢印の太さは光の強さを説明するための便宜的なものである。以下の説明では、矢印ＱＬ１，ＱＬ２，ＱＬ３，ＱＬ４，ＱＬ５で示される光を、それぞれ光ＱＬ１，光ＱＬ２，光ＱＬ３，光ＱＬ４，光ＱＬ５と記載する。なお、図２と共通する構成要素には共通の符号を付している。
【００５１】
図３（ａ）に、主として光を吸収する機能を有する調光手段５００ａを示す。
調光手段５００ａは、例えば上記した黒色をした布地テープによって構成する。
例えば、光ＱＬ１は、光路Ｒ２を通る光であり、拡散板４００の第２光入射面ＦＩ２の入射領域Ｃ《図２（ａ）参照。》から入射し、凸条部４１０の内側側面で全反射し、拡散板４００のテーパー部４４０を通じて調光手段５００ａに入射するものとする。光ＱＬ１が調光手段５００ａに入射すると、調光手段５００ａにおいて光が吸収され、光ＱＬ１よりも弱められた光ＱＬ２が調光手段５００ａから出射する。
つまり、調光手段５００ａに入射した光ＱＬ１は、調光手段５００ａから減光されて出射することとなる。例えば、布地テープの厚さを変えたり、編み込まれる繊維の密度を変えることで、減光し吸収できる光の量（遮光率）を調整することができる。  
【００５２】
（ｃ）光の反射を行う態様
図３（ｂ）は、主に光を反射する機能を有する調光手段５００ｂを説明するために示す図である。図３（ｃ）は調光手段５００ｂの断面図である。図３（ｄ）は調光手段５００ｂ’の断面図である。
【００５３】
図３（ｂ）に、主として光を反射する機能を有する調光手段５００ｂを示す。
例えば、光ＱＬ１は、光路Ｒ２を通る光であり、拡散板４００の第２光入射面ＦＩ２の入射領域Ｃ《図２（ａ）参照。》から入射し、凸条部４１０の内側側面で全反射し、拡散板４００のテーパー部４４０を通じて調光手段５００ｂに入射するものとする。光ＱＬ１は、調光手段５００ｂに入射すると、光ＱＬ１の大部分の光は反射して拡散板４００の内部に光ＱＬ３として戻される。一方、一部の光は、光ＱＬ４として調光手段５００ｂから外部に出射する。
つまり、調光手段５００ｂにより、入射光ＱＬ１の大部分は、反射し他の一部の光は減光されて調光手段５００ｂを透過する。なお、当該他の一部の光は、調光手段５００ｂに吸収されることとしてもよい。
【００５４】
調光手段５００ｂは、図３（ｃ）に示すように、光源３００に起因する光を反射することができる部材を調光層５１０ａとして適用して、適宜構成することができる。このような調光手段５００ｂをテーパー部４４０に設けたときには、拡散板４００側から入射した光を反射することもできるし、逆側（外側）から入射した光を反射することもできる。
【００５５】
また、図３（ｄ）に示すように、少なくとも２つの層を有する構造にして、調光手段５００ｂ’を構成してもよい。すなわち、調光手段５００ｂ’は、接着層６７０、第２調光層５１１及び調光層５１０ｂがテーパー部４４０の側から順に積層するように構成する。第２調光層５１１を光反射することができる部材で構成し、調光層５１０ｂを例えば黒色をした布地テープ等の光を吸収しやすい遮光性に富んだ部材で構成する。換言すると、調光手段５００ｂ’の拡散板４００内部側（第２調光層５１１）における反射率が、調光手段５００ｂ’の外部側（調光層５１０ｂ）における反射率よりも高くなるように構成する。
このような構成によれば、調光手段５００ｂ’は、調光手段５００ｂ’の外部側から入射する光を吸収等しつつ、拡散板４００内部側からテーパー部４４０を通じて出射しようとする光ＱＬ１を、再び拡散板４００内部側に反射して光ＱＬ３として戻すことができる。
【００５６】
なお、調光手段は、「調光」という観点で、拡散板４００の周縁部４２５における色味の調整をすることもできる。その一例を次に説明する。
拡散板４００が青色の波長の光を吸収し易い材質のものである場合には、拡散板４００を透過して出射した光は黄色味がかり易い。
ところで、拡散板４００の周縁部４２５から出射する光には、凸条部４１０の内側側面で全反射して周縁部４２５から出射する光も含まれる。
周縁部４２５は、拡散板４００の中央部４３０（図２参照。）に比べて前後方向の厚さが厚く、周縁部４２５から出射する光には、凸条部４１０の内側側面で全反射したものも含まれる。
つまり、拡散板４００の周縁部４２５から出射する光の拡散板４００内における光路長は、導光板２００の第１光出射面ＦＥ１から出射し、拡散板４００の第１光入射面ＦＩ１に入射して第２光出射面ＦＥ２の中央部４３０から出射する光の拡散板４００内における光路長に比べて長い。
そのため、拡散板４００の周縁部４２５から出射される光は、拡散板４００の中央部４３０から出射される光に比べて、より黄色味がかり易い。
このとき、光出射面の中央部４３０側と周縁部４２５側との間には色味の差が生じ、これが原因となって光出射面全体で見たときの照明の均斉化を後退させることとなる。
このような課題が生じるときには、例えば、主として光を反射する機能を有する調光手段であって、青色の光の反射率が他の色の光の反射率よりも高い部材（自然光を当てたとき青色を基調として認識される部材。）を該調光手段として適用することが好ましい。例えば、調光層５１０ａに青色をしたテープを適用して調光手段５００ｂを構成してもよいし、第２調光層５１１に青色をしたテープを適用して調光手段５００ｂ’を構成してもよい。このような調光手段５００ｂ又は５００ｂ’をテーパー部４４０に設けることにより、拡散板４００内部側から外部に出射しようとする光が調光手段５００ｂ又は５００ｂ’において反射する際に、青色の光の反射率を高くすることができる。これにより、拡散板４００の周縁部４２５から出射される光が、拡散板４００の中央部４３０から出射される光に比べて黄色味がかって見えることを防止できる。
こうして、光出射面の中央部４３０側と周縁部４２５側との間の色味の差を抑制し光出射面全体で見たときの照明の均斉化を図ることができる。
【００５７】
（ｄ）光の散乱を行う態様
図３（ｅ）は、主に光を散乱する機能を有する調光手段５００ｃを説明するために示す図である。図３（ｆ）は調光手段５００ｃの断面図である。
【００５８】
図３（ｅ）に、主として光を散乱する機能を有する調光手段５００ｃを示す。
例えば、光ＱＬ１が、光路Ｒ２に示すように、拡散板４００の第２光入射面ＦＩ２の入射領域Ｃ《図２（ａ）参照。》から入射し、凸条部４１０の内側側面で全反射し、拡散板４００のテーパー部４４０を通じて調光手段５００ｃに入射するものとする。光ＱＬ１が調光手段５００ｃに対して入射すると、調光手段５００ｃにおいて光が散乱される。散乱された光の一部が調光手段５００ｃから外部に出射する。
調光手段５００ｃから出射する光を散乱させることで、拡散板４００Ｌと４００Ｒとの隙間から出射する光が輝点になり難くすることができる。
【００５９】
調光手段５００ｃは、図３（ｆ）に示すように、光源３００に起因する光を内部で散乱できる部材（例えば光散乱粒子を含む部材）を調光層５１０ｃとして適用して、構成することができる。
【００６０】
（ｅ）光学的特性の選択・調節
調光手段５００は、上記したように光の吸収、反射及び散乱のうち少なくともいずれかを行うことができるものである。それらの光学特性の強さの相対的な程度は、実施形態１の課題解決のため状況に合わせて適宜選択・調節することができる。
例えば、照明モジュール１０を並列配置したとき、互いに隣接する照明モジュール１０のうち、一方の照明モジュール１０の拡散板側部４６０から出射した光が、他方の照明モジュール１０の拡散板側部４６０に入射し、この入射した光により、他方の照明モジュール１０の周縁部４２５の輝度が中央部４３０の輝度よりも高くなることがある。この場合には、調光手段５００の光の吸収率を大きくすることが好ましい。こうすることにより、一方の照明モジュール１０の拡散板側部４６０から出射した光が、他方の照明モジュール１０の拡散板側部４６０に入射する光量を抑えることができる。つまり、他方の照明モジュール１０の周縁部４２５の輝度が中央部４３０の輝度よりも高くなることを抑えることができる。
逆に、照明モジュール１０の周縁部４２５の輝度が中央部４３９の輝度よりも低くなることも想定される。この場合には、調光手段５００の光の透過率を大きくすることが好ましい。調光手段５００の光の透過率を大きくすることで、互いに隣接する照明モジュール１０の互いに向かい合う拡散板側部４６０から出射した光が、互いに他方の拡散板側部４６０に入射し、この入射した光により、照明モジュール１０の周縁部４２５の輝度を高くすることができる。また、調光手段５００の光の反射率を大きくしてもよい。調光手段５００の光の反射率を大きくすることで、凸条部４１０内から調光手段５００に入射し、この調光手段５００で周縁部４２５に向けて反射する光の量を多くすることができる。調光手段５００から周縁部４２５に向けて反射する光の量を増やすことで、照明モジュール１０の周縁部４２５の輝度を高くすることができる。
テーパー部４４０は、凸条部４１０の内側から見ると、凸条部４１０側の面を上方に向ける傾斜面である。そのため、調光手段５００において反射した光は凸条部４１０の内側に再び戻され、周縁部４２５に入射し易い。
なお、光の吸収、反射及び散乱の程度は適宜調節することができる。例えば、光の透過率を比較的大きくして、互いに隣接する照明モジュール１０の一方の調光手段５００と他方の調光手段５００との間の光の行き来の制限を緩めることにより、並列配置した隣の拡散板４００に対し積極的に光を入射させることもできる。このように、調光手段５００の遮光率（透過率）は１００％（０％）である必要はない。
【００６１】
（ｆ）調光手段５００の付設箇所・付設範囲
調光手段５００は、テーパー部前縁４４２からテーパー部後縁４４４に向けて設けられている。すなわち、図２（ａ）の如く断面視したとき、調光手段５００はテーパー部４４０のほぼ全体にわたって設けられている。
【００６２】
実施形態１においては、例えば、テーパー部４４０の長さ《図２（ａ）の如く断面視したときの長さ（前後方向の幅）。》が凡そ３．０ｍｍ程度であり、一方で調光手段５００及び接着層６７０を含む厚さＴ１が凡そ０．２ｍｍ程度である。  
【００６３】
照明モジュール１０を並列配置したときに、互いに隣接する照明モジュール１０のうち、一方の照明モジュール１０のテーパー部４４０に、一方の照明モジュール１０の調光手段５００が干渉してしまうと、隣接する照明モジュール１０の端部４２０の間に隙間が生じてしまい易い。
したがって、互いに隣接する照明モジュール１０のテーパー部４４０と調光手段５００とが干渉しないようにすることが好ましい。
調光手段５００の厚さがテーパー部４４０の長さ（前後方向の幅）に対して十分に小さい場合（調光手段５００の前端が端部４２０から側方へ突出する量が小さい場合）には、調光手段５００となるテープを、テーパー部４４０におけるテーパー部前縁４４２とほぼ同じ位置からか、あるいは、テーパー部前縁４４２よりも僅かに後側にシフトした位置から、後側にかけて設けることが好ましい。この構成の場合には、調光手段５００同士が干渉する虞もあるが、調光手段５００が変形することで、端部４２０同士の間に隙間が生じないようにできる。
また調光手段５００（テープ）の厚さがテーパー部４４０の長さに対して十分に小さいといえない場合（調光手段５００の前端が端部４２０から側方へ突出する量が大きい場合）には、調光手段５００はテーパー部前縁４４２よりもやや後側（図２（ａ）においては下側。）にシフトした位置から設けることとする。こうすることで、調光手段５００を設けたとしても、調光手段５００が拡散板４００のテーパー部４４０とは干渉しないため、照明モジュール１０を並列配置したときに隣接する拡散板の端部同士を密着させることができる。
なお、実施形態１においては、照明モジュール１０を並列配置するときに、少なくとも隣の照明モジュール１０と隣接することが予定されている辺について、当該辺の長さ全体にわたって調光手段５００を設ける。
【００６４】
３．実施形態１に係る照明モジュール１０を並列配置した照明装置５０の構成
次に、実施形態１に係る照明モジュール１０を複数個、並列配置した照明装置５０（実施形態１に係る照明装置５０）について説明する。
図４は、実施形態１に係る照明モジュール１０及び照明装置５０を説明するために示す図である。図４（ａ）は、図４（ｂ）のＩＶ−ＩＶで示した箇所の断面を表す断面図である。図４（ｂ）は実施形態１に係る照明モジュール１０を４個、並列配置した状態を表す平面図である。なお、図２と共通する構成要素には共通の符号を付している。
【００６５】
実施形態１に係る照明装置５０は、図４に示すように、上記した実施形態１に係る照明モジュール１０を複数備えている。各照明モジュール１０は、互いに隣接する照明モジュール１０同士の拡散板側部４６０の少なくとも一部を当接させて配置されている。当接される拡散板側部４６０の少なくとも一方のテーパー部４４０には、光の吸収、反射及び散乱のうち少なくともいずれかを行うことができる調光手段５００が設けられている。
換言すると、照明装置５０の各照明モジュール１０は、互いに隣接する照明モジュール１０の側に位置する辺（以下、隣接辺とする。）における端部４２０同士を、互いに当接させるように配置されている。例えば、図４（ｂ）に示すように、照明装置５０は、４個の照明モジュール１０を備え、これら４個の照明モジュール１０が左右上下に並列配置されてなる。
【００６６】
実施形態１においては、図４に示すように、隣接する２つの照明モジュール１０のうち、いずれか一方の照明モジュールの隣接辺の拡散板側部４６０においてのみ、テーパー部４４０に調光手段５００が設けられている。
例えば、図４（ｂ）において右上に位置する照明モジュール１０及び左上に位置する照明モジュール１０に着目すると、これら２つの左右の照明モジュール１０の関係では、隣接する２つの照明モジュール１０のうち、右上の照明モジュール１０の隣接辺においてのみ調光手段５００が設けられており、一方で左上の照明モジュール１０の隣接辺においては調光手段５００が設けられていない《図４（ａ）も併せて参照。》。
また、右上に位置する照明モジュール１０及び右下に位置する照明モジュール１０に着目すると、これら２つの左右の照明モジュール１０の関係では、隣接する２つの照明モジュール１０のうち、右下の照明モジュール１０の隣接辺においてのみ調光手段５００が設けられており、一方で右上の照明モジュール１０の隣接辺においては調光手段５００が設けられていない。
【００６７】
４．実施形態１に係る照明モジュール１０及び照明装置５０の作用・効果
図５は、実施形態１における導光板２００及び拡散板４００内における光の進行ルート（光路）の例、並びに調光手段５００による作用・効果を説明するために示す図である。なお、図２と共通する構成要素には共通の符号を付している。
【００６８】
実施形態１に係る照明モジュール１０は、上記したように、外装ケース１００、導光板２００、光源３００、拡散板４００、及び、調光手段５００を備える。
この照明モジュール１０は、底部１１０及び底部１１０を囲むようにして設けられた側部１２０を有する外装ケース１００と、外装ケース１００の内部に収められ、端面２１０及び第１光出射面ＦＥ１を有する導光板２００と、端面２１０に臨むようにして配置され、端面２１０に向かって光を出射する光源３００と、導光板２００の第１光出射面ＦＥ１の側に配置され、第１光出射面ＦＥ１から出射した光が入射する第１光入射面ＦＩ１及び該第１光入射面ＦＩ１から入射した光が出射する第２光出射面ＦＥ２を有する拡散板４００と、を備える。
そして、拡散板４００には、導光板２００側に突出し、導光板２００の第１光出射面ＦＥ１の周縁部２２０のうち少なくとも光源３００を臨む端面２１０側の周縁部２２０に対向する位置に位置し、第１光出射面ＦＥ１の周縁部２２０から出射する光が入射する第２光入射面ＦＩ２を有する凸条部４１０が設けられている。
また拡散板４００の最も外側の外周部である端部４２０は、外装ケース１００の側部外面１２２よりも外側に突出している。
また、拡散板４００の第２光出射面ＦＥ２に対し垂直な方向であって外装ケース１００の底部１１０側から第２光出射面ＦＥ２側に向かう方向を第１方向とし、第１方向とは逆の方向を第２方向としたとき、拡散板４００は、第２方向に進むにつれて《照明モジュール１０の前側（第２光出射面ＦＥ２側）から後側（外装ケース１００側）に進むにつれて》、拡散板４００の中央部４３０側に向けて傾斜するテーパー部４４０を、拡散板側部４６０において有している。
更に、テーパー部４４０には、光の吸収、反射及び散乱のうち少なくともいずれかを行うことができる調光手段５００が設けられている《図２（ａ）参照。》。
【００６９】
このように実施形態１に係る照明モジュール１０は、拡散板４００の側部のテーパー部４４０に調光手段５００が設けられているため、光が凸条部４１０の内側からテーパー部４４０を通じて調光手段５００に入射すると、調光手段５００において光が吸収、反射及び散乱のうち少なくともいずれかを行う。調光手段５００において行われる光の吸収等により、調光手段５００から外側に出射する光の量を調節することができる。また、逆方向からの光すなわち当該照明モジュール１０のテーパー部４４０の外部側から入射する光の量も、同様に調節することができる。
よって複数の照明モジュール１０を並列配置したときにも、隣接する照明モジュール１０の拡散板４００の間で相互に行き交う光の量を調節することができる。
こうして、テーパー部４４０に設けられた調光手段５００により、隣接する照明モジュール１０から入射する光の影響を緩和することができるため、隣接する部分（拡散板４００の周縁部４２５等）の輝度が中央部４３０の輝度に比べて高くなる等に起因した輝度斑等の輝度ムラを抑制することができ、ひいては、拡散板４００の周縁部４２５を含めて光出射面全体の輝度をより一層均斉化できる照明モジュールを提供することができる。
逆に、隣接する部分（拡散板４００の周縁部４２５等）の輝度が中央部４３０の輝度に比べて低くなる等に起因した輝度斑等の輝度ムラが生じる場合には、光の透過率が大きい調光手段５００を導入することにより、互いに隣接する照明モジュール１０の互いに向かい合う拡散板側部４６０から出射した光を、互いに他方の拡散板側部４６０に入射させ、この入射した光により、照明モジュール１０の周縁部４２５の輝度を高くすることができる。また、凸条部４１０の内側よりから入射する光についての反射率が高い調光手段５００を導入することにより、調光手段５００から周縁部４２５に向けて反射する光の量を増やすことで、照明モジュール１０の周縁部４２５の輝度を高くすることができる。
このようにして、上記輝度ムラを抑制することができ、ひいては、拡散板４００の周縁部４２５を含めて光出射面全体の輝度をより一層均斉化できる照明モジュールを提供することができる。
【００７０】
一例を挙げながら図５に即して説明すると、調光手段５００を設けなかった場合において、右に示した照明モジュール１０Ｒの光源３００から発され光路Ｒ１及び光路Ｒ２を辿り外部に出射したそれぞれの光は、左に示した照明モジュール１０Ｌに共に入射する。照明モジュール１０Ｌにおいては、光路Ｒ１及び光路Ｒ２を辿った入射光により、第２光出射面ＦＥ２の周縁部４２５（特に凸条部４１０付近）の輝度が高くなり、ねじ穴４５０及びねじ１３０の影に係る輝度斑も発現し易い。
ここで、右に示した照明モジュール１０Ｒのテーパー部４４０に、主に光を吸収し遮光性に富んだ調光手段５００を設ける。すると図５に示すように、照明モジュール１０Ｒにおいては、光源３００から発された光のうちの一部（例えば、光路Ｒ２を辿った光）は、調光手段５００において減光（遮光）され、照明モジュール１０Ｒの外部に出射する光量は低下する。よって照明モジュール１０Ｌに入射する光路Ｒ２を辿った光の光量が減り、その分、凸条部４１０付近の輝度は上昇しなくなる。その結果、ねじ穴４５０及びねじ１３０の影に係る輝度斑の発現も抑制され、拡散板４００の周縁部４２５を含めた光出射面全体の輝度の均斉化が図られる。
【００７１】
実施形態１に係る照明装置５０は、上記した実施形態１に係る照明モジュール１０を複数備え、各照明モジュール１０は、互いに隣接する照明モジュール１０同士の拡散板側部４６０の少なくとも一部を当接させて配置され、当接される拡散板側部４６０の少なくとも一方のテーパー部４４０には、光の吸収、反射及び散乱のうち少なくともいずれかを行うことができる調光手段５００が設けられている。
換言すると、一の照明モジュール１０は、前方から見たときに４つの辺を有しており、当該照明モジュール１０が有する４つの辺のうち当該一の照明モジュール１０とは別の照明モジュール１０が隣接辺における拡散板４００の端部４２０が、互いに当接するようにして複数の照明モジュール１０が並列配置されて構成されている。
【００７２】
このような構成により、実施形態１に係る照明装置５０は次の効果を有する。
（ア）実施形態１に係る照明モジュール１０を並列配置することにより、より広い面積の光出射面を持つ照明装置５０を得ることができる。（イ）拡散板４００の端部４２０が外装ケース１００の側部外面１２２よりも外側に突出するよう構成された照明モジュール１０が複数用いられており、且つ、隣接辺における拡散板４００の端部４２０が互いに当接するようにして複数の照明モジュール１０が並列配置して構成されていることから、隣接する照明モジュール１０の拡散板４００の間で隙間を生ずることがない。また、拡散板４００の端部４２０が外装ケース１００の側部外面１２２よりも外側に突出させることで、外装ケース１００の内側が見えてしまうことがない。仮に、拡散板４００の端部４２０が側部外面１２２よりも内側になってしまうと、側部外面１２２の内側から外装ケース１００の内部が見えてしまう虞がある。（ウ）テーパー部４４０に調光手段５００が設けられているので並列配置したとしても、上記したように隣接する拡散板４００の周縁部４２５を含め、複数の照明モジュール１０からなる光出射面全体の輝度がより一層均斉化された照明装置５０を得ることができる。
また、隣接する拡散板４００と拡散板４００の間に隙間が生じることがないため、互いに当接する端部４２０の間から光が漏れて輝線を生じることを防止できる。
なお、互いに当接する端部４２０の間に隙間が開いた場合にも、調光手段５００により、テーパー部４４０から出射する光の光量を抑えることで輝線を目立たなくすることができる。
【００７３】
また、実施形態１に係る照明装置５０は、互いに隣接する照明モジュール１０のうち、いずれか一方の照明モジュール１０の当接する拡散板側部においてのみ、テーパー部４４０に調光手段５００を設けている。
例えば、隣接する２つの照明モジュール１０Ｒ，１０Ｌについて見れば、照明モジュール１０Ｒの隣接辺においてのみ、テーパー部４４０に調光手段５００を設けている（図５参照。）。
【００７４】
調光手段５００をいずれか一方の照明モジュールの隣接辺においてのみ設けることから、より製造コストを抑えた照明装置を得ることができる。
【００７５】
［実施形態２］
図６は、実施形態２に係る照明装置５０ａを説明するために示す図である。図６（ａ）は、図６（ｂ）のＶＩ−ＶＩで示した箇所の断面を表す断面図である。図６（ｂ）は実施形態１に係る照明モジュール１０を４個、並列配置した状態を表す平面図である。図２と共通する構成要素には共通の符号を付している。
【００７６】
実施形態２に係る照明装置５０ａは、基本的には実施形態１に係る照明装置５０と同様の構成を有するが、調光手段５００の配置において、実施形態１に係る照明装置５０とは異なる。すなわち、実施形態２に係る照明装置５０ａは、図６（ａ）及び図６（ｂ）に示すように、隣接する２つの照明モジュール１０の互いに当接するそれぞれの拡散板側部４６０（図６における符号は省略。）において、それぞれのテーパー部４４０に調光手段５００が設けられている
例えば、図６（ａ）に示すように、調光手段５００が、右に示した照明モジュール１０Ｒのテーパー部４４０において設けられているのみならず、左に示した照明モジュール１０Ｌのテーパー部４４０においても設けられている。
【００７７】
このように、調光手段５００を隣接する２つの照明モジュール１０の互いに当接するそれぞれの拡散板側部４６０において（それぞれの隣接辺において）設けることから、調光手段５００をいずれか一方の照明モジュール１０の当接する拡散板側部４６０において（隣接辺において）のみ設ける場合に比べて、拡散板側部４６０から出射又は入射する光の量の調整をより確実に行うことができる。
例えば、拡散板４００の周縁部４２５の輝度が中央部４３０の輝度よりも高すぎるものと認識される場合には、隣接する２つの照明モジュール１０のそれぞれの隣接辺において調光手段５００を設けることにより、拡散板４００の周縁部４２５の輝度を強く抑えることができ、照明装置５０ａの光出射面全体の輝度を均斉化することができる。
実施形態１に係る照明装置５０と実施形態２に係る照明装置５０ａとは、光を調節したい量（例えば、減光したい量）に応じて適宜選択・採用することができる。例えば、複数の照明モジュール１０を並列配置したときの隣接する周縁部４２５の輝度が中央部４３０の輝度よりも極めて高い場合には、実施形態２に係る照明装置５０ａの構成を採用することができる。
【００７８】
なお、実施形態２に係る照明装置５０ａは、調光手段５００の配置以外の点においては、実施形態１に係る照明装置５０と同様の構成を有する。そのため、実施形態１に係る照明装置５０が有する効果のうち該当する効果を同様に有する。
【００７９】
［実施形態３］  
図７は、実施形態３に係る照明装置５０ｂを説明するために示す平面図である。
【００８０】
実施形態３に係る照明装置５０ｂは、基本的には実施形態１に係る照明装置５０と同様の構成を有するが、調光手段の配置において、実施形態１に係る照明装置５０とは異なる。すなわち、実施形態３に係る照明装置５０ｂは、図７に示すように、隣接辺において断続的に（部分的に）調光手段５００ｂが設けられている。
例えば図７に即して説明すると、右に示した照明モジュール１０ｂＲの隣接辺において、実施形態１における調光手段５００よりも短い長さの複数の調光手段５００ｂが、断続的に設けられている。
【００８１】
このように、調光手段５００ｂを隣接辺において断続的に（部分的に）設けることから、光の量の調整を微妙に行うことができる。例えば、拡散板４００の周縁部４２５の輝度が中央部４３０側の輝度よりも若干高いものと認識される場合には、実施形態３に係る照明装置５０ｂのように隣接辺において断続的に（部分的に）調光手段５００ｂを設けることで、拡散板４００の周縁部４２５の輝度を若干低くすることができる。
【００８２】
また、実施形態３に係る照明装置５０ｂにおいては、調光手段５００ｂを、ねじ穴４５０が置かれた位置に対応して配置されることが好ましい。例えば、図７においては、調光手段５００ｂが設けられた当該照明モジュール１０Ｒにおいて、当該照明モジュール１０Ｒのねじ穴４５０が置かれた位置に対応するようにして、調光手段５００ｂを設けている。
こうすることで、輝度斑が発現しやすいねじ穴４５０の部分で、輝度斑の発現を抑えることができる。
【００８３】
なお、実施形態３に係る照明装置５０ｂは、調光手段の配置以外の点においては、実施形態１に係る照明装置５０と同様の構成を有する。そのため、実施形態１に係る照明装置５０が有する効果のうち該当する効果を同様に有する。
実施形態３においては、隣接する２つの照明モジュール１０ｂのいずれか一方の照明モジュール１０ｂの隣接辺においてのみ調光手段５００ｂが設けられているが、これに限定されない。実施形態２のように、隣接する２つの照明モジュール１０ｂのそれぞれの隣接辺において、それぞれ調光手段５００ｂを設ける構成としてもよい。
【００８４】
［実施形態４］  
実施形態４に係る照明モジュール及び照明装置（図示を省略。）は、基本的には実施形態１〜３に係る照明モジュール１０，１０ｂ及び照明装置５０，５０ａ，５０ｂと同様の構成を有するが、調光手段の設け方の最適化において、実施形態１〜３に係る照明装置５０，５０ａ，５０ｂとは異なる。すなわち、実施形態１〜３に係る照明モジュール１０，１０ｂ及び照明装置５０，５０ａ，５０ｂは、光源３００の輝度に応じて調光手段５００，５００ｂの設け方を変更して一辺当たりの光の透過量の最適化を図っている。これに対し、実施形態４に係る照明モジュール及び照明装置は、印刷パターン６００の状態（印刷パターンの色の明度、色相等。）に応じて、いわば印刷パターン６００の濃淡に応じて、調光手段５００の設け方を変更して一辺当たりの光の透過量の適切化を図っている。
【００８５】
本発明の発明者らは、複数の照明モジュールを隣接させて並列配置させたときの輝度斑について分析を重ねた結果、上記した隣接する周縁部４２５の輝度と中央部４３０の輝度との間に差が生じやすいこと、並びに、ねじ穴４５０及びねじ１３０の影が輝度斑となって現れやすいことの他に、次の傾向があることを見出した。（１）光源の輝度を通常よりやや高めに設定したとき、又は、通常よりやや低めに設定したときに輝度斑を生じやすい。（２）照明モジュールを構成する部品（光源、拡散板等）の製造上の個体差や、印刷パターン上の濃淡等が原因となって、輝度斑が発生することがあるが、照明モジュールを並列配置することによりこの輝度斑が増幅されて目立ってしまうことがある。
これらを踏まえると、実施形態４に係る照明モジュール及び照明装置を次の様に構成することが好ましい。光源３００の輝度に応じて調光手段５００の設け方を変更して一辺当たりの光の透過量の最適化を図る。また、印刷パターン６００の状態（印刷パターンの色の明度、色相等。）に応じて、いわば印刷パターン６００の濃淡に応じて、調光手段５００の設け方を変更して一辺当たりの光の透過量の最適化を図る。各辺の印刷パターン６００の濃淡が一定でない場合には、各辺の印刷パターン６００の濃淡に応じて調光手段の設け方を設定することもできる。
【００８６】
例えば、光源３００の輝度が高く設定されている場合には、主として光を吸収する機能を有する調光手段５００ａを採用して、いわば減光して隣接する照明モジュールからの入射光の影響を緩和（遮断）する。減光の程度は、調光手段の材質の変更、調光手段の長さの変更（辺の全体にわたって設ける／一部について設ける／断続的に設ける等）、調光手段の幅の変更、調光手段の形状の変更（メッシュ状／スリット状／通常のテープ状等）、調光手段の設置場所の変更（ねじ穴４５０、ねじ１３０等の近傍あるいは光源３００の近傍等）、これらの組み合わせ、をすることにより最適化することができる。
また、印刷パターン６００の光の透過量が多い場合（明度が高い場合や、比較的明るい色相等の場合。）にも、上記と同様に、調光手段５００の設け方を変更して一辺当たりの光の最適化を図ることができる。
【００８７】
また、逆に光源３００の輝度が低く設定されている場合には、主として光を反射する機能を有する調光手段５００ｂや主として光を散乱する機能を有する調光手段５００ｃを駆使して、光の透過量の最適化を図る。調光の程度は、上記と同様のパラメーターを変更することにより最適化することができる。
【００８８】
このように、実施形態４に係る照明モジュール及び照明装置は、調光手段の設け方の最適化において実施形態１〜３に係る照明モジュール及び照明装置とは異なるが、光源３００の輝度や印刷パターン６００の状態に応じて調光手段５００の設け方を変更して一辺当たりの光の透過量の最適化を図るため、照明モジュール及び照明装置の使用条件に応じて、より適切に光出射面全体の輝度の均斉化を図ることができる。
なお、実施形態４に係る照明モジュール及び照明装置は、調光手段の設け方の最適化以外の点においては、実施形態１〜３に係る照明モジュール及び照明装置と同様の構成を有する。そのため、実施形態１〜３に係る照明モジュール及び照明装置が有する効果のうち該当する効果を同様に有する。
【００８９】
以上、本発明を上記の実施形態に基づいて説明したが、本発明は上記の実施形態に限定されるものではない。その趣旨を逸脱しない範囲において実施することが可能である。例えば、上記実施形態において記載した構成要素の数、材質、形状、位置、大きさなどは例示であり、本発明の効果を損なわない範囲において変更することが可能である。また、例えば、次のような変形も可能である。
【００９０】
（１）各実施形態において、調光手段５００はテープによるものを例に説明したが、これに限られるものではない。例えば、実施形態１〜４に係る照明モジュール及び照明装置において、調光手段は、光の吸収、反射及び散乱のうち少なくともいずれかを行うことができる塗装材料であり、塗装材料がテーパー部に塗装されてなるものであってもよい。
【００９１】
図８は、変形例１における調光手段５００ｄを説明するために示すテーパー部４４０を拡大した図である。図８に示すように、テーパー部４４０の表面に光の吸収、反射及び散乱のうち少なくともいずれかを行うことができる塗装材料を塗装して、調光手段５００ｄを構成することとしてもよい。
このような構成によれば、塗装材料がテーパー部に塗装されてなるため、テーパー部への定着性がより優れた調光手段を形成することができ、より耐久性の優れた照明モジュール１０ｄを得ることができる。
【００９２】
（２）各実施形態において、調光手段５００はテープによるものを例に説明したが、これに限られるものではない。例えば、実施形態１〜４に係る照明モジュール及び照明装置において、調光手段は、テーパー部の表面が粗された部位によって構成されたものであってもよい。
【００９３】
図９は、変形例２における調光手段５００ｅを説明するために示すテーパー部４４０を拡大した図である。図９に示すように、テーパー部４４０の表面に細かい凹凸を設けて粗し、この粗された部位を調光手段５００ｅとして構成することとしてもよい。
テーパー部４４０自体を加工して、テーパー部４４０の表面が粗された部位によって調光手段を構成するため、より耐久性が優れた照明モジュールとなる。加えて、追加の部材を必要しないことから部材コストを抑えた照明モジュールを得ることができる。
なお、テーパー部４４０自体を粗すだけでなく、テーパー部４４０に設けられたテープ又は塗装の表面を粗して、調光手段を構成してもよい。
【００９４】
（３）各実施形態において、拡散板４００の側部の形状は、前面側から後面側にかけて、湾曲面４２７、垂直面４２０Ａと続いてテーパー部４４０が形成された形状であるが、これに限られるものではない。例えば、図１０に示すように、上記湾曲面４２７及び垂直面４２０Ａに対応する部分はなく、第２光出射面ＦＥ２の端縁の直ぐ後側に端部４２０が位置し、その直ぐ後側からテーパー部４４０が形成される形状であってもよい。
【００９５】
図１０は、変形例３に係る照明モジュール１０ｕ及び照明装置５０ｕを説明するために示す図である。図１０に示すように、拡散板４００の側部の形状は、第２光出射面ＦＥ２の端縁の直ぐ後側からテーパー部４４０が形成されている。換言すると、テーパー部４４０の上方の端部と第２光出射面ＦＥ２の端縁とが一致している。
この場合には、調光手段５００は、テーパー部４４０の上端よりも後側にずれた位置から、後側に向かって設けることが好ましい。このような位置に調光手段５００を設けることによって、照明モジュール１０ｕを並列配置したときに、隣接する調光手段５００同士が干渉することなく、隣接する拡散板４００の端部４２０同士を密着させて当接することができる。
【００９６】
（４）各実施形態において、拡散板４００の側部の形状は、前側から後側にかけて、湾曲面４２７、垂直面４２０Ａと続いてテーパー部４４０が形成された形状であるが、これに限られるものではない。例えば、上記湾曲面４２７に対応する部分はなく、光出射面の直ぐ後側から垂直面４２０Ａが位置するものであってもよい。
【００９７】
図１１は、変形例４に係る照明モジュール１０ｖ及び照明装置５０ｖを説明するために示す図である。図１１に示すように、拡散板４００の側部の形状は、第２光出射面ＦＥ２の端縁の直ぐ後側から垂直面４２０Ａが形成されている。
この場合には、調光手段５００は、垂直面４２０Ａの後側の端部（図面では垂直面の下端）から、後側にシフトした位置を始まりとして、後側に向かって設けることが好ましい。このような位置に調光手段５００を設けることによって、照明モジュール１０を並列配置したときに、隣接する調光手段５００が干渉することなく、隣接する拡散板４００の端部４２０同士を密着させて当接することができる。
【００９８】
（５）各実施形態において、照明モジュール１０の形状は４つの辺を有する四角形であるとして説明したが、これに限られるものではない。複数の照明モジュールの拡散板の端部を互いに当接させながら、並列配置し、より広い面積の光出射面をもつ照明装置を構成することができるのであれば、例えば、３つの辺を有する三角形をした照明モジュールとする、５つの辺を有する五角形をした照明モジュールとするなど、適宜の形状を選択することができ、これらも本発明に係る照明モジュール及び照明装置の均等物とする。
【符号の説明】
【００９９】
１０，１０Ｌ，１０Ｒ，１０ｂＲ，１０ｄ，１０ｕ，１０ｖ，７００，９００，９００'…照明モジュール、５０，５０ａ，５０ｂ，５０ｕ，５０ｖ，９５０…照明装置、
１００，９１０…外装ケース、１１０，９１１…外装ケースの底部、１２０，９１２…外装ケースの側部、１２２，９１４…外装ケースの側部外面、１３０，１３２…ねじ、２００，９２０…導光板、２１０，９２１…導光板の端面、２２０，９２２…導光板の周縁部、２５０…反射シート、３００，９３０…光源、３５０…フレキシブル基板、３７０…光源フレーム、３７２…光源フレームの固定部、３７３…光源フレームの側部、３７４…光源フレームによる遮蔽部、４００，９４０…拡散板、４１０，９４１…凸条部、４２０，９４２…拡散板の端部、４２０Ａ…垂直面、４２５，４２５'…拡散板の周縁部、４２７…湾曲面、４３０…拡散板の中央部、４４０…テーパー部、４４２…テーパー部外縁、４４４…テーパー部内縁、４５０…ねじ穴、４６０…拡散板側部、５００，５００ａ，５００ｂ，５００ｂ'，５００ｃ，５００ｄ，５００ｅ…調光手段、５１０，５１０ｂ，５１０ｃ…調光層、５１１…第２調光層、６００…印刷パターン、６５０…メインフレーム、６７０…接着層
【図１】
2018032526.tif 000003
【図２】
2018032526.tif 000004
【図３】
2018032526.tif 000005
【図４】
2018032526.tif 000006
【図５】
2018032526.tif 000007
【図６】
2018032526.tif 000008
【図７】
2018032526.tif 000009
【図８】
2018032526.tif 000010
【図９】
2018032526.tif 000011
【図１０】
2018032526.tif 000012
【図１１】
2018032526.tif 000013
【図１２】
2018032526.tif 000014
【図１３】
2018032526.tif 000015